(57)【要約】【課題】地球温暖化係数が低い微燃性の冷媒を用いつつ、封入冷媒量を低減する。【解決手段】冷凍空調装置は、密閉容器内に圧縮機構部と電動機部と油溜り部を有する密閉型電動圧縮機、室外側熱交換器、膨張弁、室内側熱交換器が順次冷媒配管により接続されて冷凍サイクルを構成している。また、前記密閉型電動圧縮機は密閉容器内が低圧雰囲気となる低圧チャンバタイプの圧縮機であり、密閉型電動圧縮機の吐出側に設けられ冷媒から油を分離するオイルセパレータと、オイルセパレータから密閉型電動圧縮機の油溜り部に油を直接戻す油戻し配管と、油戻し配管に設けられた減圧手段を備え、冷凍サイクルを循環する冷媒は、微燃性の冷媒またはこれを主成分とする冷媒であり、密閉型電動圧縮機に使用される冷凍機油は、前記冷媒に対して非相溶の油であり、オイルセパレータで分離された油を、油溜り部の油面よりも低い位置に戻す油戻し部を備える。【選択図】図１
2020051662.tif 000002
【特許請求の範囲】
【請求項１】
密閉容器内に圧縮機構部と電動機部と油溜り部を有する密閉型電動圧縮機、室外側熱交換器、膨張弁、室内側熱交換器が順次冷媒配管により接続されて冷凍サイクルを構成している冷凍空調装置において、
前記密閉型電動圧縮機は密閉容器内が低圧雰囲気となる低圧チャンバタイプの圧縮機であり、
前記密閉型電動圧縮機の吐出側に設けられ冷媒から油を分離するオイルセパレータと、
前記オイルセパレータから前記密閉型電動圧縮機の油溜り部に油を直接戻す油戻し配管と、
前記油戻し配管に設けられた減圧手段を備え、
前記冷凍サイクルを循環する冷媒は、微燃性の冷媒またはこれを主成分とする冷媒であり、
前記密閉型電動圧縮機に使用される冷凍機油は、前記冷媒に対して非相溶の油であり、
前記オイルセパレータで分離された油を、前記油溜り部の油面よりも低い位置に戻す油戻し部を備えることを特徴とする冷凍空調装置。
【請求項２】
請求項１に記載の冷凍空調装置において、
前記冷凍サイクルを循環する微燃性の冷媒は、ＨＦＣ−３２（ジフルオロメタン）、ＨＦＯ−１２３４ｙｆ（２，３，３，３−テトラフルオロプロペン）、ＨＦＯ−１２３４ｚｅ（１，３，３，３−テオトラフルオロプロペン）の群から選択される１種類以上の冷媒を７０％以上含む冷媒であることを特徴とする冷凍空調装置。
【請求項３】
請求項１に記載の冷凍空調装置において、
前記冷媒に対して非相溶の油は、鉱油、アルキルベンゼン油（ＡＢ）、ポリアルキレングリコール油（ＰＡＧ）のうちの何れかであることを特徴とする冷凍空調装置。
【請求項４】
請求項１に記載の冷凍空調装置において、
前記オイルセパレータは、前記密閉型電動圧縮機から吐出された冷媒と油の混合物が流入する入口部と、分離した油が流出する油出口部と、前記冷媒が流出する冷媒出口部とを有し、
前記オイルセパレータの前記油出口部はオイルセパレータの底部に形成され、この油出口部には前記油戻し配管が接続され、この油戻し配管は前記密閉型電動圧縮機の前記油溜り部に形成される油面よりも低い位置で前記密閉型電動圧縮機に接続され、且つ
前記オイルセパレータの前記底部は、油溜り部に形成される油面よりも上方に位置するように構成されていることを特徴とする冷凍空調装置。
【請求項５】
請求項４に記載の冷凍空調装置において、
前記オイルセパレータは、遠心力を利用して冷媒と油に分離する遠心分離式またはデミスタにより冷媒から油を分離するデミスタ式のものであることを特徴とする冷凍空調装置。
【請求項６】
請求項１に記載の冷凍空調装置において、
前記油戻し配管に設けられた減圧手段は、電子膨張弁で構成され、前記冷凍サイクルの高圧側と低圧側の圧力差に基づいて前記減圧手段の絞り量を調整することを特徴とする冷凍空調装置。
【請求項７】
請求項１〜６の何れか一項に記載の冷凍空調装置に使用される密閉型電動圧縮機であって、
前記密閉型電動圧縮機は、密閉容器内に、冷媒を圧縮する圧縮機構部、前記圧縮機構部を駆動する電動機部及び油溜り部を有する低圧チャンバタイプの密閉型電動圧縮機であり、
前記油溜り部に貯留される冷凍機油は、微燃性冷媒またはこれを主成分とする冷媒に対して非相溶の油であり、
冷凍サイクルに設けられたオイルセパレータで分離された油を、前記油溜り部の油面よりも低い位置に戻す油戻し部を備えることを特徴とする密閉型電動圧縮機。
【請求項８】
請求項７に記載の密閉型電動圧縮機において、
前記電動機部の回転を前記圧縮機構部に伝達する回転軸と、
前記回転軸を、前記電動機部の上方で支持する主軸受と、前記電動機部の下方で支持する副軸受と、
前記副軸受を支持し、前記油溜り部に形成される油面よりも上方に配置された副軸受ハウジングを備えることを特徴とする密閉型電動圧縮機。
【請求項９】
請求項８に記載の密閉型電動圧縮機において、
前記回転軸の下端には前記油溜り部の油を吸い込むための給油ポンプが設けられ、
前記給油ポンプの吸込口よりも高く、前記油面よりも低い位置に前記油戻し部が設けられることを特徴とする密閉型電動圧縮機。
【請求項１０】
請求項８に記載の密閉型電動圧縮機において、
前記密閉容器には、冷媒を密閉容器内に吸込むための吸込配管が設けられ、前記吸込配管は前記電動機部と前記副軸受ハウジングとの間に前記冷媒を流入させる位置に設けられ、
前記吸込配管から密閉容器内に流入した冷媒は前記電動機部を冷却後、前記圧縮機構部に吸込まれるように構成されていることを特徴とする密閉型電動圧縮機。
【請求項１１】
請求項１０に記載の密閉型電動圧縮機において、
前記圧縮機構部の各摺動部を潤滑後の油を、冷媒ガスの流れとは隔離して油溜り部に戻す排油通路手段を設けていることを特徴とする密閉型電動圧縮機。
【発明の詳細な説明】
【技術分野】
【０００１】
本発明は、冷凍空調装置及びこれに用いる密閉型電動圧縮機に関し、空気調和機、冷蔵庫、冷凍庫、冷蔵・冷凍ショーケースなどの冷凍空調装置に好適なものである。
【背景技術】
【０００２】
冷凍機、空気調和機、冷蔵庫などに用いられる冷媒としては、例えば、ＨＦＣ−１３４ａ、ＨＦＣ−４１０Ａ、ＨＦＣ−４０７Ｃなどが使用されている。これらの冷媒は、オゾン層への影響が少ないものの地球温暖化係数（ＧＷＰ）が大きい。これに対する代替冷媒として、例えばＨＦＣ−３２（ジフルオロメタン）が提案されている。ＨＦＣ−３２冷媒は、ＨＦＣ−４１０Ａ冷媒と比較すると地球温暖化係数が約三分の一程度であることから、ＨＦＣ−４１０Ａの代替冷媒として用いられている。
【０００３】
しかし、ＨＦＣ−３２冷媒はＧＷＰが６７５と低いものの、微燃性であり、ＨＦＣ−３２冷媒を使用する場合、冷媒漏洩時の安全性が課題となるため、冷媒封入量を低減する必要がある。
【０００４】
特開２０１６−１６１１３８号公報（特許文献１）のものには、低圧ハウジング（チャンバ）タイプの圧縮機と、圧縮機の吐出回路中に設けられた油分離器と、冷媒循環方向を切換える四方切換弁と、室外側熱交換器と、暖房用の電子膨張弁と、レシーバと、冷房用の電子膨張弁と、室内側熱交換器と、圧縮機の吸入配管に設けられたアキュームレータとを、冷媒配管により順次接続した冷凍サイクルが記載されている。
【０００５】
また、前記冷凍サイクルにはＨＦＣ−３２冷媒が充填されていること、冷媒の吐出温度等が閾値を超えたとき、前記油分離器からの油を冷却して圧縮機に戻す冷却回路と、油分離器からの油を冷却せずに圧縮機に直接戻す直接回路との並列回路を備えること、が記載されている。前記冷凍機油としては、ＨＦＣ−３２冷媒に対して相溶性を有するＰＶＥ油（ポリビニルエーテル系油）やＰＯＥ油（ポリオールエステル系油）等の油を使用することも記載されている。
【０００６】
特開２０１６−１６１２１１号公報（特許文献２）のものには、油分離器で分離された油を減圧し、これを圧縮された冷媒の熱で加熱して、冷凍機油に混ざっていた冷媒が蒸発して取り除かれた冷凍機油を圧縮機に供給する発明が記載されている。また、冷凍機油と冷媒を分離するための気液分離部を設けること、圧縮機は低圧ドーム（チャンバ）型のスクロール圧縮機であること、冷媒はＨＦＣ−４１０ＡやＨＦＣ−３２などのＨＦＣ系冷媒を使用することなどが記載されている。
【先行技術文献】
【特許文献】
【０００７】
【特許文献１】特開２０１６−１６１１３８号公報
【特許文献２】特開２０１６−１６１２１１号公報
【発明の概要】
【発明が解決しようとする課題】
【０００８】
上記特許文献１に記載のものでは、圧縮機の吸入配管にアキュームレータを備え、また油分離器から圧縮機に油を戻すために、油を冷却せずに戻す直接回路と、油を冷却して圧縮機に戻す冷却回路との並列回路を備える構成としている。このため冷凍サイクルの内容積が大きくなり、その内容積分だけ冷媒量を増加しなければならない。また、ＨＦＣ−３２冷媒に対して相溶性を有するＰＶＥやＰＯＥ等の冷凍機油を使用しているため、冷凍機油に溶け込む分の冷媒の量も加味して冷媒封入量を決定しなければならない。このため、封入冷媒量が大幅に増加するが、ＨＦＣ−３２等の微燃性冷媒を使用するものでは、冷媒漏洩時の安全性が課題となる。
【０００９】
特許文献２に記載のものは、冷凍機油と冷媒を分離するための気液分離部を設けるものであるため、その内容積分の冷媒量を増加しなければならない。このため、冷媒としてＨＦＣ−３２を用いる場合には、微燃性冷媒であるため、特許文献１と同様に、冷媒漏洩時の安全性が課題となる。
【００１０】
本発明の目的は、地球温暖化係数が低い微燃性の冷媒を用いつつ、封入冷媒量を低減することのできる冷凍空調装置及びこれに用いる密閉型電動圧縮機を得ることにある。
【課題を解決するための手段】
【００１１】
上記目的を達成するため、本発明は、密閉容器内に圧縮機構部と電動機部と油溜り部を有する密閉型電動圧縮機、室外側熱交換器、膨張弁、室内側熱交換器が順次冷媒配管により接続されて冷凍サイクルを構成している冷凍空調装置において、前記密閉型電動圧縮機は密閉容器内が低圧雰囲気（ほぼ吸入圧力の雰囲気）となる低圧チャンバタイプの圧縮機であり、前記密閉型電動圧縮機の吐出側に設けられ冷媒から油を分離するオイルセパレータと、前記オイルセパレータから前記密閉型電動圧縮機の油溜り部に油を直接戻す油戻し配管と、前記油戻し配管に設けられた減圧手段を備え、前記冷凍サイクルを循環する冷媒は、微燃性の冷媒またはこれを主成分とする冷媒であり、前記密閉型電動圧縮機に使用される冷凍機油は、前記冷媒に対して非相溶の油であり、前記オイルセパレータで分離された油を、前記油溜り部の油面よりも低い位置に戻す油戻し部を備えることを特徴とする。
【００１２】
本発明の他の特徴は、上記冷凍空調装置に使用される密閉型電動圧縮機であって、前記密閉型電動圧縮機は、密閉容器内に、冷媒を圧縮する圧縮機構部、前記圧縮機構部を駆動する電動機部及び油溜り部を有する低圧チャンバタイプの密閉型電動圧縮機であり、前記油溜り部に貯留される冷凍機油は、微燃性冷媒またはこれを主成分とする冷媒に対して非相溶の油であり、冷凍サイクルに設けられたオイルセパレータで分離された油を、前記油溜り部の油面よりも低い位置に戻す油戻し部を備えることにある。
【発明の効果】
【００１３】
本発明によれば、地球温暖化係数が低い微燃性の冷媒を用いつつ、封入冷媒量を低減することのできる冷凍空調装置及びこれに用いる密閉型電動圧縮機を得ることができる効果が得られる。
【図面の簡単な説明】
【００１４】
【図１】本発明の冷凍空調装置としての空気調和機の一例を示す冷凍サイクル構成図である。
【図２】図１に示す密閉型電動圧縮機の一例を示す縦断面図である。
【図３】図１に示す圧縮機とオイルセパレータの部分の概略構成図である。
【図４】本発明の実施例２を説明する図で、図１に示すオイルセパレータ３として使用される遠心分離式のオイルセパレータの例を説明する図である。
【図５】本発明の実施例２を説明する図で、図１に示すオイルセパレータ３として使用されるデミスタ式のオイルセパレータの例を説明する図である。
【発明を実施するための形態】
【００１５】
本発明は、地球温暖化係数が低い微燃性冷媒を用いると共に、封入冷媒量を低減することのできる冷凍空調装置及びこれに用いる密閉型電動圧縮機を得るために、以下説明する構成としたものである。
【００１６】
即ち、本発明は、密閉容器内に圧縮機構部と電動機部と油溜り部を有する密閉型電動圧縮機、室外側熱交換器、膨張弁、室内側熱交換器が順次冷媒配管により接続されて冷凍サイクルを構成している冷凍空調装置において、前記密閉型電動圧縮機は密閉容器内が低圧雰囲気（ほぼ吸入圧力の雰囲気）となる低圧チャンバタイプの圧縮機であり、前記密閉型電動圧縮機の吐出側に設けられ冷媒から油を分離するオイルセパレータと、前記オイルセパレータから前記密閉型電動圧縮機の油溜り部に油を直接戻す油戻し配管を備え、前記冷凍サイクルを循環する冷媒は、微燃性の冷媒またはこれを主成分とする冷媒であり、前記密閉型電動圧縮機に使用される冷凍機油は、前記冷媒に対して非相溶の油であり、前記オイルセパレータで分離された油を、前記油溜り部の油面よりも低い位置に戻す油戻し部を備える構成としたものである。
【００１７】
前記冷凍サイクルを循環する冷媒として、本実施形態では、微燃性冷媒を単独或いは主成分とする冷媒が使用される。微燃性冷媒としては、ＨＦＣ−３２（ジフルオロメタン）、ＨＦＯ‐１２３４ｙｆ（２，３，３，３−テトラフルオロプロペン）、ＨＦＯ−１２３４ｚｅ（１，３，３，３−テオトラフルオロプロペン）がある。微燃性冷媒とは、高圧ガス保安法の関連規則である冷凍保安規則で規定されている特定不活性ガスであり、上述した３種類の冷媒（ＨＦＣ−３２、ＨＦＯ‐１２３４ｙｆ、ＨＦＯ−１２３４ｚｅ）が掲名されている。
【００１８】
本実施形態では、これらの微燃性冷媒のうちの１種を単独で用いるか、或いはこれらの微燃性冷媒の２種類以上を混合したものを主成分（例えば、微燃性冷媒を少なくとも７０ｗｔ％以上含む冷媒）とし、他の冷媒（例えばＨＦＣ系冷媒）や各種の添加剤（例えば腐食防止剤、摩耗防止剤、極圧剤）等を混合した混合冷媒が使用される。
【００１９】
前記密閉型電動圧縮機に使用される冷凍機油（以下、油または潤滑油ともいう）は、本実施形態では、前記微燃性冷媒に対して非相溶の油を使用する。非相溶の油とは、微燃性冷媒に対して混ざり合わない冷凍機油である。このような非相溶の冷凍機油としては、鉱油（例えば、ナフテン系の鉱油）、アルキルベンゼン油（ＡＢ）、ポリアルキレングリコール油（ＰＡＧ）等を使用すると良い。
【００２０】
前記冷凍機油として、４０℃における動粘度が３０〜１００ｍｍ２／ｓの冷凍機油を用いることが好ましい。動粘度は、ISO（International Organization for Standardization，国際標準化機構）3104、ASTM（American Society for Testing and Materials，米国材料試験協会）D445、D7042等の規格に基づいて測定される。冷媒と冷凍機油との低温側臨界溶解温度は、＋１０℃以下であることが好ましい。
【００２１】
以下、本発明の具体的実施例を、冷凍空調装置としての空気調和機を例にとり、図面に基づいて説明する。各図において、同一符号を付した部分は同一或いは相当する部分である。
【実施例１】
【００２２】
本発明の冷凍空調装置の実施例１を図１〜図３を用いて説明する。
図１は冷凍空調装置の一例としての空気調和機の冷凍サイクル構成図である。
【００２３】
図１に示すように、冷凍空調装置としての空気調和機１は、室外機１Ａと室内機１Ｂを備える。室外機１Ａには、密閉型電動圧縮機（以下、単に圧縮機ともいう）２、この圧縮機２からの吐出側冷媒配管（冷媒配管）１４に設けられたオイルセパレータ（油分離器）３、オイルセパレータ３で分離された冷媒の循環方向を切換える四方切換弁（以下、四方弁ともいう）４、送風機５が付設されている室外側熱交換器６、暖房用の電子膨張弁（膨張弁）７、レシーバ８が、順次前記冷媒配管により接続されている。また、前記圧縮機２の吸込側と前記四方弁４は吸入側冷媒配管１３で接続されている。
【００２４】
また、前記室外機１Ａには、前記オイルセパレータ３に溜まった油（以下、冷凍機油または潤滑油ともいう）を前記圧縮機２における密閉容器内下部に設けられた油溜り部２６（図２、図３参照）に直接戻すための油戻し配管１２と、この油戻し配管１２の途中に設けられた減圧手段１５も備えられている。前記減圧手段１５として、本実施例では電子膨張弁を用いているが、固定絞りとなるキャピラリチューブを用いることもできる。電子膨張弁とすれば、圧縮機２の高圧側と低圧側の圧力差に応じて、電子膨張弁の開度（絞り量）を調節することで、オイルセパレータ３から圧縮機２の油溜り部に戻す油量を適切に調節可能となる。
【００２５】
室内機１Ｂには、送風機１０が付設されている室内側熱交換器１１と冷房用の電子膨張弁（膨張弁）９が冷媒配管で接続されている。前記室外機１Ａ側と前記室内機１Ｂ側とは接続冷媒配管（冷媒配管）１６で接続されることにより、閉サイクルの冷凍サイクルを構成している。
【００２６】
前記密閉型電動圧縮機２は、冷凍サイクルの作動媒体である冷媒を圧縮機構部で圧縮するものであり、圧縮機構部を潤滑するための冷凍機油が内部に封入されている。前記圧縮機２としては、図２を用いて後述するが、密閉容器内がほぼ吸入圧力の雰囲気となる低圧チャンバタイプの密閉型電動圧縮機を使用している。
【００２７】
なお、冷凍サイクルを循環する冷媒として、本実施例では、微燃性冷媒であるＨＦＣ−３２を単体で、或いはＨＦＣ−３２を７０ｗｔ％以上含み、他の冷媒や添加剤を含む冷媒を使用する。前記冷凍機油としては、前記冷媒に対して非相溶の油である鉱油、アルキルベンゼン油（ＡＢ）またはポリアルキレングリコール油（ＰＡＧ）を使用している。また、本実施例では前記冷凍機油は、ISO粘度グレード番号ＶＧ６８（４０℃における動粘度範囲が６１．２〜７４．８ｍｍ２／ｓ）のものを使用している。
【００２８】
前記オイルセパレータ３は、圧縮機２から吐出される冷媒に含まれる冷凍機油を分離し、減圧手段１５を介して、前記圧縮機２へ直接戻すもので、これにより圧縮機２内の潤滑油を適量に保ち、摺動部の焼き付き事故を防止すると共に、圧縮機構部の圧縮室のシール効果を向上する。また、油が熱交換器側に放出されて熱交換器の冷媒配管内面に付着し、油膜が形成されることによる熱交換器の熱交換効率の低下を防止するものである。
【００２９】
前記オイルセパレータ３における油分離方式には、ガス冷媒と油の質量の差を利用して油を分離する遠心分離式や衝突分離式、邪魔板（バッフル板）を設けて油を分離する邪魔板式（バッフル式）、金網などの金属繊維を用いて油を分離するデミスタ式などがある。
【００３０】
空気調和機１を冷房運転する場合、圧縮機２から吐出された高温・高圧のガス状冷媒と油の混合物は、オイルセパレータ３で冷媒と油とに分離される。分離された油は、減圧手段１５を通過後、圧縮機２内底部の油溜り部に直接戻される。分離された冷媒は、四方弁４を通って室外側熱交換器６で外気に放熱することで凝縮し、高圧の液状冷媒となる。液状冷媒は、レシーバ８を通過後、接続冷媒配管１６を通って室内機１Ｂ側に流れ、冷房用の電子膨張弁９の作用で減圧されて低温低圧の気液二相状態となって室内側熱交換器１１で室内空気の熱を吸収することで蒸発する。室内側熱交換器１１で蒸発した冷媒は、接続冷媒配管１６を通って室外機１Ａへ戻り、四方弁４を通過後圧縮機２に吸入され、該圧縮機２で再び圧縮される。
【００３１】
次に、空気調和機が暖房運転をする場合について説明する。暖房運転の場合では、冷媒流路が四方弁４により冷房運転の場合から切り替えられる。暖房運転の場合、圧縮機２から吐出された高温・高圧のガス状冷媒と油の混合物は、オイルセパレータ３により冷媒と油とに分離される。分離された油は、減圧手段１５を通過後、圧縮機２内底部の油溜り部に直接戻される。分離された冷媒は、四方弁４及び接続冷媒配管１６を通って室内機１Ｂ側に流れる。室内機１Ｂに入った冷媒は、室内側交換器１１で室内空気に放熱することで凝縮し、高圧の液状冷媒となる。高圧の液状冷媒は、接続冷媒配管１６を通って室外機１Ａ側に流れる。室外機１Ａに入った高圧の液状冷媒は、暖房用の電子膨張弁７で減圧され、低温低圧の気液二相状態となり、室外側熱交換器６に流れ、室外空気の熱を吸収することで蒸発し、ガス状冷媒になる。室外側熱交換器６でガス状となった冷媒は、四方弁４を通過後圧縮機２に吸入され、該圧縮機２で再び圧縮される。
【００３２】
本実施例では、冷凍サイクルを流れる冷媒として、微燃性冷媒であるＨＦＣ−３２を使用しているので、地球温暖化係数（ＧＷＰ）が６７５と小さく、また、従来の冷媒ＨＣＦＣ−２２とほぼ同程度のエネルギー消費効率（ＣＯＰ：Coefficient Of Performance）を得ることができ、冷凍能力を確保することができる。
【００３３】
また、前記密閉型電動圧縮機に使用される冷凍機油は、前記冷媒に対して非相溶の油を使用しているので、冷凍機油に溶け込む冷媒の量を少なくできるから、その分冷媒封入量を低減することもできる。即ち、冷凍機油に溶け込む分の冷媒量を加味せずに冷媒封入量を設定できることから、封入冷媒量を低減することができる。また、冷凍機油の粘度低下も抑制できるから、圧縮機２の信頼性向上も図れる。
【００３４】
更に、前記圧縮機の吐出側に設けられた油分離用のオイルセパレータ３と、このオイルセパレータ３から、減圧手段１５を介して減圧された後、圧縮機２内底部の油溜り部に油を直接戻す油戻し配管１２を備える構成としているので、前記冷媒に対して非相溶の油を容易にオイルセパレータ３で分離して、その分離した油を圧縮機２の油溜り部に溜められた油中に直接戻すことができる。また、オイルセパレータ３で分離された油を、圧縮機２の吸入側に戻すものではないから、吸入冷媒と混合して圧縮機から放出される油の量も低減できる。
【００３５】
従って、圧縮機から冷凍サイクルに放出される油の量、即ちオイルレートを低減することができ、室外側熱交換器６や室内側熱交換器１１などの熱交換器側への油流出を抑制できる。これにより、油が熱交換器の配管内面等に付着することを防止できるから、前記熱交換器での伝熱効率を増加させることが可能となる。
【００３６】
また、熱交換器の伝熱効率を向上できるので、その分熱交換器を小形化することも可能となり、これにより熱交換器容積を小さくでき、その分必要な封入冷媒量も低減できる。
更に、オイルレートを低減できることにより、冷凍機油をより少ない封入量で圧縮機内の油量を確保できる。冷凍機油の量を低減できることにより、油に取り込まれる冷媒量も減少するため、これによっても封入冷媒量を低減できる効果がある。
このように、本実施例によれば、冷凍空調装置（空気調和機等）としての省エネルギー性を向上できると共に、封入冷媒量を低減することもできる効果が得られる。
【００３７】
次に、図１に示す空気調和機（冷凍空調装置）１に用いている密閉型電動圧縮機２の一例を、図２を用いて具体的に説明する。図２は図１に示す密閉型電動圧縮機の一例を示す縦断面図である。
【００３８】
図２に示す密閉型電動圧縮機（圧縮機）２は、本実施例では、低圧チャンバタイプの密閉型スクロール圧縮機であり、圧縮機構部１８及び電動機部１９が略円筒形の密閉容器２０内に収容されている。前記圧縮機構部１８は、フレーム１８ａ、旋回スクロール１８ｂ、及び固定スクロール１８ｃを備えている。前記電動機部１９は、固定子１９ａ及び回転子１９ｂを備える。前記圧縮機２は、電動機部１９の回転が回転軸２１によって圧縮機構部１８に伝達される構造となっている。
【００３９】
密閉容器２０は、吸込配管２２、吐出配管２３、油戻し部２４及び電源端子（図示せず）を備え、これらにより外部に対して流体及び電気エネルギーの出入りが可能に構成されている。前記吸込配管２２は、冷媒を密閉容器２０の内部に流入させる入口となるもので、図１に示す吸入側冷媒配管１３に接続される。吐出配管２３は、冷媒と微量の油の混合物を吐出する出口となるもので、図１に示す吐出側冷媒配管１４に接続される。前記油戻し部２４は、図１に示すオイルセパレータ３により、前記混合物から分離された油を密閉容器２０の内部に戻す入口となるもので、図１に示す油戻し配管１２に接続される。電源端子は、電動機部１９に電気エネルギーを供給するための端子であり、図２には図示されていないが、密閉容器２０の背面側或いは正面側に設けられている。
【００４０】
密閉容器２０は、内部に冷凍機油が封入されており、この冷凍機油は密閉容器２０下部に形成された油溜り部２６に貯留されている。図２において、油溜り部２６に溜まった冷凍機油の油面は、符号２７で示され、この油溜り部２６の冷凍機油は、前記回転軸２１の下端に設けられた給油ポンプ２８により吸い込まれる。冷媒と油の混合物から分離されて密閉容器２０の内部に戻った油が前記給油ポンプ２８によって吸い込まれるように、前記油戻し部２４の高さ方向の位置は、給油ポンプ２８の油の吸込口の高さ方向の位置よりも高く、前記油面２７よりも低い位置に設けられている。
【００４１】
また、本実施例では、前記回転軸２１を、前記電動機部１９の上方で支持する主軸受３１と、前記電動機部１９の下方で支持する副軸受３２と、この副軸受３２を支持し、前記油溜り部２６に形成される油面２７よりも上方に配置された副軸受ハウジング３３を備える。副軸受ハウジング３３は、図１に示すオイルセパレータ３の底部３ａ（図３参照）よりも下方に位置するように設けられている。
【００４２】
電動機部１９が稼動すると、その回転は、回転軸２１によって圧縮機構部１８に伝達され、回転軸２１の上部に設けられた偏心部２１ａと、旋回スクロール１８ｂの背面側に設けられている自転防止部材であるオルダムリング２９により、旋回スクロール１８ｂを旋回運動させる。旋回スクロール１８ｂと固定スクロール１８ｃとが相対的に動くことにより、冷媒は、吸込配管２２から密閉容器２０内に吸込まれる。本実施例では、前記吸込配管２２を、前記電動機部１９と前記副軸受ハウジング３３との間の密閉容器２０に設けているので、前記吸込配管２２から吸い込まれた冷媒は、前記電動機部１９と前記副軸受ハウジング３３との間に流入し、固定子１９ａのコイルエンド部１９ａａ等に衝突する。これにより、冷媒ガス中に液冷媒や微量の油が含まれていた場合には、液冷媒や油は冷媒ガスから分離される。分離された液冷媒や油は下方に流下して副軸受ハウジング３３に形成された貫通孔３３ａから油溜り部２６に流入する。
【００４３】
一方、冷媒ガスは、固定子１９ａの外周を軸方向に貫通するように設けた第１のコアカット部４１や、固定子１９ａと回転子１９ｂとの間の隙間を通過して、電動機部１９を冷却しつつ、電動機部１９の上部空間４３ａに入る。この上部空間４３ａの冷媒ガスは、フレーム１８ａの外周に形成した吸入通路４４及び固定スクロール１８ｃの外周側に設けた吸入溝部４５を介して、圧縮機構部１８の吸込室１８ｄに入る。吸込室１８ｄに流入した冷媒ガスは、圧縮室１８ｅで圧縮された後、吐出口３０から密閉容器２０上部の吐出室４３ｂに吐出され、その後吐出配管２３から、図１に示すオイルセパレータ（油分離器）３側に流出する。
【００４４】
なお、前記旋回スクロール１８ｂの背面中央のボス部内には旋回軸受４６が設けられ、前記回転軸２１の偏心部２１ａを受けている。また、前記フレーム１８ａに形成したオルダム室４７の外周側には、電動機部１９の上部空間４３ａに連通する排油孔４８が形成されている。また、前記排油孔４８の下方には、排油孔４８から流下する油を受けて固定子１９ａ外周部に軸方向に形成した第２のコアカット部４２に導く第１の排油通路手段４９が設けられている。更に、前記第２のコアカット部４２から流下する油を油溜り部２６に導く第２の排油通路手段５０も設けられている。
【００４５】
圧縮機２内部における潤滑油の流れを説明する。給油ポンプ２８の下端は油溜り部２６内に浸漬されている。回転軸２１が回転すると、給油ポンプ２８及び回転軸２１内の軸方向に偏心させて形成した偏心縦孔（給油路）２１ｂによる遠心ポンプ作用によって、油溜り部２６の潤滑油は前記給油ポンプ２８から吸い込まれ、前記偏心縦孔２１ｂ内を上昇する。
【００４６】
前記主軸受３１及び前記旋回軸受４６のまわりは低圧の吸入圧力Ｐｓの雰囲気となっている。偏心縦孔２１ｂ内を上昇した油は、横給油孔２１ｃを介して主軸受３１に給油される。一方、偏心縦孔２１ｂを流れて偏心部２１ａの上端に達した油は、軸上端部室５１から旋回軸受４６へ給油される。主軸受３１及び旋回軸受４６に給油された油は、旋回スクロール１８ｂのボス部外周の油圧室５２に排出された後、オルダム室４７に流れて、オルダムリング２９の摺動部を潤滑する。オルダム室４７の外周側に流れた油は、そのほとんどが排油孔４８を通って流下し、入口部を広く形成した第１の排油通路手段４９と密閉容器２０の内壁面との間を通り、その後、第２のコアカット部４２及び第２の排油通路手段５０を介して油溜り部２６に戻される。前記オルダム室４７に流れた油のうち、極一部の油は、旋回スクロール１８ｂと固定スクロール１８ｃの摺動面から漏洩して吸込室１８ｄに流れ、旋回スクロール１８ｂと固定スクロール１８ｃの摺動部を潤滑する。
【００４７】
なお、前記偏心縦孔２１ｂの下部側から分岐して横給油穴２１ｄが設けられており、偏心縦孔２１ｂを流れる油の一部を前記横給油穴２１ｄから分岐させて回転軸２１の外周面に流出させ、副軸受３２に給油して潤滑する。副軸受３２を潤滑した油は下方に流下して油溜り部２６に戻される。
【００４８】
上述したように、本実施例においては、圧縮機構部１８の各摺動部（主軸受３１、旋回軸受４６及びオルダムリング２９等）を潤滑後の油を、冷媒ガスの流れとは隔離して油溜り部２６に戻す排油通路手段（第１、第２の排油通路手段４９，５０）を設けている。これにより、冷媒ガス中に軸受部などから排出された油が直接混入するのを防止できる。従って、圧縮機２の吐出配管２３から吐出される冷媒に混入する油を最小限にすることができる。また、前記吐出配管２３から吐出された冷媒ガス中に混合されている油を分離するためのオイルセパレータ３が設けられているので、このオイルセパレータ３において、冷媒ガス中に含まれる微量の非相溶性の油のほとんどを分離することができる。従って、圧縮機２から冷凍サイクルに放出される油の量、即ちオイルレートを大幅に低減することができる。
【００４９】
次に、図１に示す空気調和機１に用いられている圧縮機２とオイルセパレータ３の部分の構成を、図３を用いて説明する。図３は図１に示す圧縮機とオイルセパレータの部分の概略構成図である。
【００５０】
この図３を用いて、圧縮機２とオイルセパレータ３との接続及び配置関係について説明する。なお、図３では簡単のために圧縮機２の内部構造を省略して描いているが、圧縮機２の詳細は、図２を用いて説明した通りである。
【００５１】
オイルセパレータ３は、略円筒形の形状をしており、圧縮機２から吐出された冷媒と油の混合物を、例えば、流体に働く遠心力を利用して冷媒と油に分離する。本実施例では、このような遠心分離式、或いはオイルセパレータの容器壁面に油を含む冷媒を衝突させて分離する衝突分離式のオイルセパレータ３を用いているが、前述した他の形式のオイルセパレータ、例えば金属の網などに油のミストを付着させて分離するデミスタ式のオイルセパレータなどを用いても良い。オイルセパレータ３を構成している容器内には、分離した油を溜めることができるようになっている。
【００５２】
圧縮機２の密閉容器２０とオイルセパレータ３とは、吐出側冷媒配管１４及び油戻し配管１２により互いに接続される。油戻し配管１２は、オイルセパレータ３の底部に設けられた油出口部３４と密閉容器２０の油戻し部２４とを接続する。この油戻し配管１２の途中には減圧手段１５が設けられている。
【００５３】
圧縮機２の吐出配管２３から吐出された冷媒と油との混合物は、吐出側冷媒配管１４を介して、オイルセパレータ３の入口部３５からオイルセパレータ３の内部に流入し、冷媒（冷媒ガス）と油とに分離される。
オイルセパレータ３で分離された冷媒は、オイルセパレータ３の上部に設けられた冷媒出口部３６から流出する。冷媒出口部３６には、該冷媒出口部３６から流出した冷媒が流れる冷媒配管３７が接続され、冷媒は図１に示す四方弁４側に流れる。
【００５４】
オイルセパレータ３で分離された油は、オイルセパレータ３の油出口部３４から油戻し配管１２に流入し、減圧手段１５で減圧された後、油戻し部２４を通って密閉容器２０の油溜り部２６に直接流入して溜められる。本実施例では、前記油戻し部２４は油面２７よりも低い位置に設けられているので、オイルセパレータ３で分離された油は油溜り部２６の油中に直接流入する。
【００５５】
また、油溜り部２６の油面２７の高さ方向の位置が、オイルセパレータ３の底部３ａの高さ方向の位置よりも低く、且つ密閉容器２０の油戻し部２４の高さ方向の位置よりも高くなるように、油の量が調整されて密閉容器２０内に封入されている。油戻し部２４は、密閉容器２０の側面に対して水平に接続されている。即ち、油戻し配管１２は、密閉容器２０の側面に水平に接続するための水平部を有し、この水平部は油で満たされている。
【００５６】
また、本実施例では、密閉容器２０及びオイルセパレータ３は略円筒形に構成され、オイルセパレータ３の内径は密閉容器２０の油溜り部２６の内径よりも小さく構成されている。好ましくは、前記オイルセパレータ３の内径は前記密閉容器２０の油溜り部２６の内径の「１／（１．５〜２．５）」の関係にすると良く、更に好ましくは、オイルセパレータ３の内径を密閉容器２０の油溜り部２６の内径の約１／２にすると良い。
【００５７】
本実施例では、圧縮機２の運転中は、密閉容器２０内の圧力が低圧雰囲気、即ちほぼ吸入圧力の雰囲気となっており、油溜り部２６の圧力も低圧雰囲気となっている。一方、オイルセパレータ３には圧縮機２からの吐出冷媒ガスが流入しているので、オイルセパレータ３内は、ほぼ吐出圧力の雰囲気となっている。従って、圧縮機２の運転中はこの圧力差を利用してオイルセパレータ３内に溜まった油を、密閉容器２０底部の油溜り部２６に戻すことができる。
【００５８】
しかし、オイルセパレータ３内の圧力と密閉容器２０内の圧力との圧力差は非常に大きいので、オイルセパレータ３内に溜まった油だけを密閉容器２０内に戻し、オイルセパレータ３内の冷媒ガスは密閉容器２０内に流入しないように、電子膨張弁などで構成された減圧手段１５の絞り量を調整する。即ち、オイルセパレータ３内の油面高さが常に低い位置に維持されるように、油戻し管１２から密閉容器２０内に戻る油量を前記減圧手段１５により調節し、オイルセパレータ３内の冷媒ガスが油戻し管１２から密閉容器２０内に流入するのを防止、或いはできるだけ抑制する。
【００５９】
そのためには、圧縮機２の吐出側と吸込側の圧力を検知して、それらの圧力差に応じて前記減圧手段１５の絞り量を調整することが好ましい。なお、圧縮機２の吐出側と吸込側の圧力の検知は、圧力センサを設けて直接圧力を検知するようにすれば良い。しかし、圧力センサは高価なため、温度センサを用いて、吐出側（高圧側）の温度と吸込側（低圧側）の温度を検知し、これに基づいて吐出側（高圧側）と吸込側（低圧側）の圧力を間接的に検知しても良い。
【００６０】
また、減圧手段１５を電子膨張弁等で構成し、前記検知された圧力差、即ち冷凍サイクルの高圧側と低圧側の圧力差に基づいて、前記減圧手段１５の絞り量を調整することが好ましいが、前記減圧手段を固定絞りであるキャピラリチューブを用いて構成しても良い。この場合には、予め実験等により、適切な絞り量となるキャピラリチューブのサイズを決定すると良い。
【００６１】
本実施例では、油戻し配管１２の密閉容器２０との接続部（油戻し部２４）の高さ方向の位置が、油面２７の高さ方向の位置よりも低くなるように構成している。これにより、圧縮機２から吐出された冷媒と油の混合物を、オイルセパレータ３により冷媒と油とに分離し、分離した油を、圧縮機２の密閉容器２０内底部の油溜り部２６の油中に直接戻すことができる。従って、油溜り部２６に戻される油と密閉容器内の冷媒ガスとが混合して、油に冷媒が溶け込んだり、或いは取り込まれるのを抑制することができるから、その分、冷凍サイクルに封入する冷媒量を低減できる。
【００６２】
また、オイルセパレータ３の底部３ａの高さ方向の位置が、圧縮機２の油溜り部２６に溜まった油の油面２７の高さ方向の位置よりも高くなるように構成しているので、圧縮機２が停止し、圧縮機２の吐出側と吸込側の圧力差がなくなった場合であっても、オイルセパレータ３内に溜まった油は、油溜り部２６の油面とオイルセパレータ３内の油面とのヘッド差により、オイルセパレータ３の油を密閉容器２０内底部の油溜り部２６に流入させることができる。
【００６３】
以上説明したように、本実施例によれば、冷媒として、微燃性冷媒であるＨＦＣ−３２を使用すると共に、低圧チャンバタイプの密閉型電動圧縮機を採用し、圧縮機に使用される冷凍機油は前記冷媒に対して非相溶の油を使用し、且つ圧縮機の吐出側に設けられ冷媒から油を分離するオイルセパレータを備え、更にオイルセパレータで分離された油を、前記油溜り部の油面よりも低い位置に戻す油戻し部を備える構成としているので、以下の効果が得られる。
（１）地球温暖化係数が低い微燃性冷媒を用いつつ、冷凍能力を確保することができる。即ち、オイルレートを低減できるから、室外側熱交換器６や室内側熱交換器１１などの熱交換器側への油流出を抑制して、油が熱交換器の配管内面等に付着することを防止できる。従って、熱交換器での伝熱効率を増加させることができるから、冷凍能力を向上できる。
（２）圧縮機２に使用される冷凍機油は、前記冷媒に対して非相溶の油を使用しているので、冷凍機油に溶け込む冷媒の量を少なくでき、これにより冷媒封入量を低減することができる。また、冷凍機油の粘度低下も抑制できるから、圧縮機２の信頼性向上も図れる。
（３）前記冷媒に対して非相溶の油を使用していることから、オイルセパレータ３での油の分離効率を向上することができ、また、前記オイルセパレータ３で分離した油を直接圧縮機２の油溜り部２６に戻すので、圧縮機２の密閉容器２０内の油量を適切に保持できる。更に、オイルセパレータ３で分離された油を、油溜り部の油面よりも低い位置に戻すので、油溜り部２６に戻される油と密閉容器内の冷媒ガスとが混合して、油に冷媒が溶け込む或いは取り込まれるのを抑制することができる。従って、その分、冷凍サイクルに封入する冷媒量を低減できる。
（４）圧縮機から冷凍サイクルに放出される油の量、即ちオイルレートを低減することができるから、冷凍機油の封入油量を低減でき、この結果、油に取り込まれる冷媒量も低減できるため、この点からも封入冷媒量を低減できる。
（５）オイルレートを低減できることにより、熱交換器の効率を向上できるので、その分熱交換器容積を小さくでき、これに伴い必要な冷媒封入量を、この点からも低減できる。
（６）圧縮機の吐出側に設けられたオイルセパレータにより油の分離効率を向上できると共に、密閉型電動圧縮機として低圧チャンバタイプの圧縮機を採用しているので、密閉容器内に吸入された冷媒は容積の大きい密閉容器内で吸入冷媒から油や液冷媒を分離できる。従って、特許文献１に記載されているようなアキュームレータを廃止することができ、その分冷凍サイクルの内容積を小さくできるから、冷凍サイクルへの封入冷媒量を大幅に低減できる。
【００６４】
このように、本実施例によれば、地球温暖化係数が低い微燃性冷媒を用いつつ、その封入冷媒量を低減することのできる効果が得られる。
【実施例２】
【００６５】
本発明の冷凍空調装置の実施例２としての空気調和機を、図４、図５を用いて説明する。本実施例３における空気調和機の基本的な構成は、実施例１で説明した空気調和機と同様であり、図１に示す冷凍サイクルの構成、図２に示す密閉型電動圧縮機の構成は実施例１と同様である。以下の説明では、実施例１と異なる部分を中心に説明する。
図４、図５は、それぞれ図１で説明したオイルセパレータ３の他の例を説明する図で、オイルセパレータ３としてのより好ましい例を示すものである。
【００６６】
図４はより好ましい遠心分離式のオイルセパレータ３の例を示すもので、このオイルセパレータ３は、縦長の外筒３ｂと、この外筒３ｂの内側上部に前記外筒３ｂと同心となるように取り付けられた内筒３ｃを備え、前記外筒３ｂと前記内筒３ｃとの間には円周流路３ｄを形成している。
【００６７】
前記円周流路３ｄには、外筒３ｂの内面に沿って油を含む冷媒ガスを吐出させる入口部３５が設けられ、この入口部３５には圧縮機２から吐出された冷媒を導く吐出側冷媒配管１４が接続されている。
【００６８】
前記内筒３ｃの内面上部には内筒３ｃの内部に開口する冷媒出口部３６が設けられ、この冷媒出口部３６には四方弁４（図１参照）側に冷媒を流す冷媒配管３７が接続されている。また、前記外筒３ｂ内の底部３ａの中央には、分離された油の出口となる油出口部３４が設けられ、この油出口部３４には、分離された油を前記圧縮機２の油溜り部２６に直接戻す油戻し配管１２が接続されている。
【００６９】
圧縮機２から吐出された油を含む冷媒ガスをオイルセパレータ３の入口部３５から前記円周流路３ｄに吐出させることで、油と冷媒の混合物は前記円周流路３ｄに沿って旋回しながら下降し、その時の遠心力により油は冷媒ガスから分離されて外筒３ｂ内面に沿って流下し、オイルセパレータ３の底部３ａに溜まる。オイルセパレータ３の底部３ａに溜まった油は油戻し配管１２を介して前記圧縮機２の油溜り部２６に直接戻される。一方、油を分離した冷媒ガスは前記内筒３ｃ内に流入し、ここから前記冷媒配管３７に流出する。
【００７０】
オイルセパレータ３として、このような構成の遠心分離式のオイルセパレータ３を用いることにより、旋回流を発生させ遠心力を利用して油を分離できるので、より油分離効率を向上させることができる。従って、室外側熱交換器６や室内側熱交換器１１に冷媒と非相溶の油が流れて滞留し、前記各熱交換器における伝熱作用が油により阻害されるのを防止することができる。
【００７１】
なお、図４に示した遠心分離式のオイルセパレータ３では、内筒３ｃを有する構成にしており、大容量のオイルセパレータとして好適であるが、より小容量で外筒３ｂの外径が小さいものでは、以下のように構成すると良い。即ち、前記冷媒出口部３６または前記冷媒配管３７を、前記外筒３ｂにおける前記入口部３５よりも下方の位置まで挿入し、前記内筒３ｃを省略する構成としても良い。このように構成しても、前記入口部３５から外筒３ｂの内面に沿って油を含む冷媒ガスを吐出させることにより、前記冷媒出口部３６または前記冷媒配管３７の周りに旋回流を発生させて油を分離することができる。
【００７２】
図５は、図１に示すオイルセパレータ３のより好ましいオイルセパレータ３としてのデミスタ式のオイルセパレータ３を示すものである。図５において、図４と同一符号を付した部分は同一或いは相当する部分であり、図４の例と異なる部分の構成を中心に説明する。
【００７３】
デミスタ式のオイルセパレータ３は、オイルセパレータ３内に金網等の線状で構成された網目状のデミスタ３ｅを、嵌合等により固定して設けたものである。このデミスタ３ｅの下部空間３ｆの上側には油を含む冷媒ガスが導かれる入口部３５が設けられ、この入口部３５には圧縮機２から吐出された冷媒を導く吐出側冷媒配管１４が接続されている。
【００７４】
前記デミスタ３ｅの上部空間３ｇには冷媒出口部３６が設けられ、この冷媒出口部３６には前記冷媒配管３７が接続されている。また、オイルセパレータ３内の底部３ａの中央には、分離された油の出口となる油出口部３４が設けられ、この油出口部３４には前記油戻し配管１２が接続されている。なお、オイルセパレータ３を構成している容器と前記デミスタ３ｅの外周部分との間から、油を含む冷媒ガスが漏洩して流れるのを防止するため、その部分にバッフルを設けると良い。
【００７５】
圧縮機２から吐出された油を含む冷媒ガスをオイルセパレータ３の入口部３５からオイルセパレータ３内の下部空間３ｆに吐出させると、油を含む冷媒ガスは、デミスタ３ｅを通過して上部空間３ｇ側に流れる。このとき、冷媒ガス中の油（油滴）は前記デミスタ３ｅにおける線条で捕らえられて分離され、オイルセパレータ３の底部３ａに溜まる。オイルセパレータ３の底部３ａに溜まった油は油戻し配管１２を介して前記圧縮機２の油溜り部２６に直接戻される。一方、油を分離した冷媒ガスは上部空間３ｇから冷媒配管３７に流出する。
【００７６】
このように、オイルセパレータ３として、デミスタ式のオイルセパレータ３を用いることにより、油分離効率をより向上させることができ、図４に示した例とほぼ同様の効果を得ることができる。
【００７７】
本実施例２では、遠心分離式とデミスタ式のオイルセパレータについて説明したが、前記オイルセパレータ３として、邪魔板（バッフル板）を設けて油を分離する邪魔板式（バッフル式）などを用いても良い。
【００７８】
なお、本発明は上記した実施例に限定されるものではなく、様々な変形例が含まれる。
例えば、上述した実施例では、冷凍空調装置に用いる密閉型電動圧縮機として、密閉型スクロール圧縮機を採用した例について説明したが、高圧チャンバ方式の圧縮機であれば、任意の圧縮機、例えば、密閉型のロータリー圧縮機やスイングタイプ或いはレシプロタイプの圧縮機を使用するようにしても良い。また、縦型の密閉型電動圧縮機について説明したが、横型のものにも適用できる。更に、単段（１段）の密閉型電動圧縮機に限らず、多段圧縮の密閉型電動圧縮機を使用する冷凍空調装置にも同様に適用できる。また、上述した実施例では、微燃性冷媒として、ＨＦＣ−３２を使用した例を説明したが、ＨＦＯ−１２３４ｙｆやＨＦＯ−１２３４ｚｅなどの他の微燃性冷媒でも、或いは微燃性冷媒を主成分とし、他の冷媒を混合した混合冷媒を使用しても良い。
また、上記した実施例は本発明を分かりやすく説明するために詳細に説明したものであり、必ずしも説明した全ての構成を備えるものに限定されるものではない。
【符号の説明】
【００７９】
１：空気調和機（冷凍空調装置）、１Ａ：室外機、１Ｂ：室内機、
２：密閉型電動圧縮機（圧縮機）、３：オイルセパレータ、
３ａ：底部、３ｂ：外筒、３ｃ：内筒、３ｄ：円周流路、３ｅ：デミスタ、
３ｆ：下部空間、３ｇ：上部空間、
４：四方切換弁（四方弁）、５，１０：送風機、６：室外側熱交換器、
７，９：電子膨張弁（膨張弁）、８：レシーバ、１１：室内側熱交換器、
１２：油戻し配管、１３：吸入側冷媒配管（冷媒配管）、
１４：吐出側冷媒配管（冷媒配管）、１５：減圧手段、
１６：接続冷媒配管（冷媒配管）、１８：圧縮機構部、
１８ａ：フレーム、１８ｂ：旋回スクロール、１８ｃ：固定スクロール、
１８ｄ：吸込室、１８ｅ：圧縮室、
１９：電動機部、１９ａ：固定子、１９ａａ：コイルエンド部、１９ｂ：回転子、
２０：密閉容器、２１：回転軸、２１ａ：偏心部、２１ｂ：偏心縦孔（油通路）、
２１ｃ，２１ｄ：横給油穴、
２２：吸込配管、２３：吐出配管、２４：油戻し部、２５：電源端子、
２６：油溜り部、２７：油面、２８：給油ポンプ、２９：オルダムリング、
３０：吐出口、３１：主軸受、３２：副軸受、
３３：副軸受ハウジング、３３ａ：貫通孔、
３４：油出口部、３５：入口部、３６：冷媒出口部、３７：冷媒配管、
４１：第１のコアカット部、４２：第２のコアカット部、
４３ａ：上部空間、４３ｂ：吐出室、
４４：吸入通路、４５：吸入溝部、４６：旋回軸受、４７：オルダム室、４８：排油孔、
４９，５０：排油通路手段（４９：第１の排油通路手段、５０：第２の排油通路手段）、
５１：軸上端部室、５２：油圧室
【図１】
2020051662.tif 000003
【図２】
2020051662.tif 000004
【図３】
2020051662.tif 000005
【図４】
2020051662.tif 000006
【図５】
2020051662.tif 000007